(57)【要約】【課題】スクリーニング時の断線によって他の正常部分の光ファイバが損傷を受けないように改善した光ファイバのスクリーニング装置を提供する。【解決手段】光ファイバを送出す引出しボビンと、光ファイバに張力印加する張力印加部と、張力印加部を通過した光ファイバを巻取る巻取りボビンを有してなるスクリーニング装置であって、張力印加により断線した光ファイバの端末を、巻取りボビンに巻かれている光ファイバに接触させない、光ファイバのスクリーニング装置。【選択図】　　　　なし【特許請求の範囲】
【請求項１】
光ファイバを送出す引出しボビンと、光ファイバに張力印加する張力印加部と、張力印加部を通過した光ファイバを巻取る巻取りボビンを有してなるスクリーニング装置であって、張力印加により断線した光ファイバの端末を、巻取りボビンに巻かれている光ファイバに接触させないことを特徴とする光ファイバのスクリーニング装置。
【請求項２】
光ファイバの断線を検出する検出器を前記張力印加部に少なくとも１つ有し、断線が検出された際に前記巻取りボビンの駆動を停止させる制御を有することを特徴とする請求項１記載の光ファイバのスクリーニング装置。
【請求項３】
光ファイバが断線してから断線検出までの時間ｔ１が０．１秒以下であることを特徴とする請求項２記載の光ファイバのスクリーニング装置。
【請求項４】
光ファイバの断線検出から前記巻取りボビンが静止するまでの時間ｔ（ｓ）が以下の式（Ｉ）を満たすことを特徴とする請求項２又は３記載の光ファイバのスクリーニング装置。
ｔ＜（Ｌ／ｖ−ｔ１）×２　　　（Ｉ）
Ｌ（ｍ）：前記張力印加部の出口開放部から前記巻取りボビンまでの
光ファイバの走行距離
ｖ（ｍ／ｓ）：スクリーニング線速
ｔ１（ｓ）：光ファイバが断線してから断線検出までの時間
【請求項５】
前記張力印加部と前記巻き取りボビンの間に送出しキャプスタンを有し、光ファイバの断線検出から送出しキャプスタンが静止するまでの時間ｔ２が以下の式（ＩＩ）を満たすことを特徴とする請求項２、３又は４記載の光ファイバのスクリーニング装置。
ｔ２＞ｔ　　　　　　　　　　　（ＩＩ）
ｔ：光ファイバの断線検出から前記巻取りボビンが静止するまでの時間
【請求項６】
前記巻取りボビンの直前に、巻取りボビンに巻取られる光ファイバが接することなく通過できる程度の間隔を有するファイバたたき防止カバーを有することを特徴とする請求項１〜５のいずれか１項記載の光ファイバのスクリーニング装置。
【発明の詳細な説明】
【０００１】
【発明の属する技術分野】
この発明は、光ファイバに所定の張力を加えて耐張力性能を試験する装置に関するものである。
【０００２】
【従来の技術】
光ファイバ（ガラス光ファイバ）は脆性線条体であり、細くて引っ張り張力に弱いため、傷などがあると容易に断線する。そこで、光ファイバの製造ラインに直結して、或いはボビンに巻き取った光ファイバの断線寿命を保証するために、製造の完了した光ファイバに所定の張力を加えて耐張力性能を試験する、いわゆるスクリーニングテストをするようにしている。
【０００３】
このスクリーニングをしているとき、その張力に耐え切れず光ファイバが破断し、断線することがある。このような場合、断線した光ファイバ端末がすでに巻取りボビンに巻き取られた正常な部分の光ファイバをたたいて（ファイバたたき）しまう。このファイバたたきは、断線した巻取り側の端部が一気に巻取りボビン側に持っていかれて、光ファイバの端末が正常に巻き取られた光ファイバをたたくもので、この結果、正常な光ファイバを断線させたり、劣化させたりすると言う問題が発生する。
【０００４】
【発明が解決しようとする課題】
本発明は上記の課題を解決し、スクリーニング時の断線によって他の正常部分の光ファイバが損傷を受けないように改善した光ファイバのスクリーニング装置を提供することを目的とする。
【０００５】
【課題を解決するための手段】
本発明は、
（１）光ファイバを送出す引出しボビンと、光ファイバに張力印加する張力印加部と、張力印加部を通過した光ファイバを巻取る巻取りボビンを有してなるスクリーニング装置であって、張力印加により断線した光ファイバの端末を、巻取りボビンに巻かれている光ファイバに接触させないことを特徴とする光ファイバのスクリーニング装置、
（２）光ファイバの断線を検出する検出器を前記張力印加部に少なくとも１つ有し、断線が検出された際に前記巻取りボビンの駆動を停止させる制御を有することを特徴とする（１）項記載の光ファイバのスクリーニング装置、
（３）光ファイバが断線してから断線検出までの時間ｔ１が０．１秒以下であることを特徴とする（２）項記載の光ファイバのスクリーニング装置、
（４）光ファイバの断線検出から前記巻取りボビンが静止するまでの時間ｔ（ｓ）が以下の式（Ｉ）を満たすことを特徴とする（２）又は（３）項記載の光ファイバのスクリーニング装置、
ｔ＜（Ｌ／ｖ−ｔ１）×２　　　（Ｉ）
Ｌ（ｍ）：前記張力印加部の出口開放部から前記巻取りボビンまでの
光ファイバの走行距離
ｖ（ｍ／ｓ）：スクリーニング線速
ｔ１（ｓ）：光ファイバが断線してから断線検出までの時間
（５）前記張力印加部と前記巻き取りボビンの間に送出しキャプスタンを有し、光ファイバの断線検出から送出しキャプスタンが静止するまでの時間ｔ２が以下の式（ＩＩ）を満たすことを特徴とする（２）、（３）又は（４）項記載の光ファイバのスクリーニング装置
ｔ２＞ｔ　　　　　　　　　　　（ＩＩ）
ｔ：光ファイバの断線検出から前記巻取りボビンが静止するまでの時間
、及び
（６）前記巻取りボビンの直前に、巻取りボビンに巻取られる光ファイバが接することなく通過できる程度の間隔を有するファイバたたき防止カバーを有することを特徴とする（１）〜（５）のいずれか１項記載の光ファイバのスクリーニング装置
を提供するものである。
【０００６】
【発明の実施の形態】
本発明の光ファイバのスクリーニング装置は、好ましくは、光ファイバを引出す引出しボビンと、引出しキャプスタンにより引き出される光ファイバにプーリーを介して張力を付加する張力付加部と、張力付加部を通過した光ファイバをプーリーを介して巻き取る巻取りボビンと、前記張力付加部により光ファイバの低強度部が断線したときに断線を検知する断線検出部を少なくとも１個有し、前記断線検出部で光ファイバが断線した事を検知した際に前記巻取りボビンの駆動を停止させる制御装置と、前記巻取りボビンの手前に巻取りボビンに巻き取られる光ファイバが接することなく通過出来る程度の間隙を有するファイバたたき防止カバーとを有する。
【０００７】
本発明において、断線検出までの時間ｔ１（ｓ）は０．１秒以下であることが好ましい。
また巻取りボビンを停止させる制御は、前記式（Ｉ）を満たすように行うことが好ましい。例えば、断線検出後の巻取りボビンのモーターを速度指令０にすることでモーターの最大トルクで急停止するように行うことができる。このように制御を行うことにより、断線した光ファイバ端部が巻取りボビンに達しないように巻取りボビンの駆動を停止させることができる。
例えばスクリーニング線速１４００ｍ／分のときの断線発生時の巻取り速度（スクリーニング速度）と巻取りボビンの静止時間の関係を図１に示す。なお、図１中、斜線で示した面積は光ファイバ端部の走行距離を表し、この走行距離がＬよりも小さい場合、断線した光ファイバ端部は巻取りボビンに達することはない。
【０００８】
また、前記式（ＩＩ）を満たすようにすると、送出しキャプスタンと巻取りボビンとの間の光ファイバが突っ張ることなく停止することができ、巻取られた正常な光ファイバにファイバ食込みを起こすことがなく、好ましい。例えば、送り出しキャプスタンを停止させる時間より、巻取りボビンを停止させる時間を早くすることにより行うことができる。
【０００９】
さらに本発明は、巻取りボビンの手前に巻取りボビンに巻き取られる光ファイバが接することなく通過出来る程度の間隙を有するファイバたたき防止カバーとを有することが好ましい。間隙は、適用する光ファイバにより変化させうるものであり特に制限されるものではないが、例えば本発明を、２５０μｍの光ファイバに適用する場合は、間隔は２６０μｍ以上、幅はファイバが巻き取られるボビンがトラバースして動く距離を完全にカバーできる幅であることが好ましい。
このように本発明がファイバたたき防止カバーを有する場合、スクリーニングにより光ファイバが断線した際に、断線した巻取りダンサー側の光ファイバ端部が一気に巻取りボビン側に持っていかれることが無くなり、ファイバたたき防止カバーを挟んで、端部が移動するだけで引出しボビン側に残されるので、光ファイバの端末が正常に巻き取られた光ファイバをたたくことが無くなる。
【００１０】
以下、本発明の光ファイバのスクリーニング装置の好ましい一実施の態様を図面に基づいて説明する。
図２において、１は光ファイバで、２は光ファイバ１を送り出す引出しボビン、３は引出しキャプスタンで、４は上下に移動可能なスクリーニングダンサー、５は送出しキャプスタンである。引出しキャプスタン３とスクリーニングダンサー４と送出しキャプスタン５とで光ファイバ１に張力を付加する張力付加部となるスクリーニング機構６となっている。スクリーニング機構６は上下に移動可能なスクリーニングダンサー４の質量及びトルクにより走行する光ファイバ１に張力を付与し、さらに引き出される光ファイバ１の速度やロードセル７で測定される張力の変動を安定化させるように構成されている。
【００１１】
８は引出し速度を調整する引出しダンサーで、９は引出し側固定プーリー、１０は巻取り速度を調整する巻取りダンサー、１１は巻取り側固定プーリーである。１２は巻取りボビンである。
１３は断線センサー、１４はファイバたたき防止カバーで巻取りボビン１２に巻き取られる光ファイバ１が接することなく通過出来る程度の間隙Ｓを有している。
【００１２】
このようなスクリーニング装置では、光ファイバ１は引出しボビン２から引出しキャプスタン３により引出され、スクリーニング機構６で一定の張力が付与され、この張力に打ち勝った光ファイバ１のみが送出しキャプスタン５で引き取られ、巻取ボビン１２に巻き取られる。しかしながら、光ファイバ１に低強度部が存在すると、前記スクリーニング機構６に耐えることができずに断線する。
【００１３】
光ファイバ１が断線すると、引出しキャプスタン３と送出しキャプスタン５の間に配置された断線センサー１３によって断線が検知される。断線の検知情報は、制御装置（図には省略）により巻取りボビン１２の駆動を停止させる。
断線センサーについてはレーザー透過式が良く使われる。
【００１４】
本実施態様の具体的な時間の１例を示すと、光ファイバ１のスクリーニング線速を例えば１４００ｍ／分とした場合、断線センサー１３による断線の検知時間は０．１秒以下で、制御装置が断線検知情報を得てから巻取りボビン１２が停止する時間ｔは２２０ｍｓｅｃである。
また、送出しキャプスタン５からファイバたたき防止カバー１４までの光ファイバ１の各プーリー間の引き掛け長を５．５ｍ、防止カバー１４から巻取りボビン１２までの距離を０．５ｍとした場合、断線から巻取りボビン１２の静止時の光ファイバ１の端末は約５ｍであるから、ファイバたたき防止カバー１４を通過せずに送出しキャプスタン５側に残っている。このように前記式（Ｉ）を満たすようにすれば巻取りボビン１２に巻き取られた正常な光ファイバ１を光ファイバ１の端部がたたき現象を起す事が無い。
また、断線検出から送出しキャプスタン５が静止するまでの時間ｔ２が巻取りボビン１２が静止するまでの時間ｔよりも大であるようにすると、停止時に送出しキャプスタン５から巻取りボビン１２との間の光ファイバが突っ張ることなく減速停止し、正常に巻取られた光ファイバにおいてファイバ食込みは発生しない。
【００１５】
制御装置が断線検知情報を得てから巻取りボビン１２が静止するまでの時間ｔは２００ｍｓｅｃ以上であることが好ましい。
ｔを２００ｍｓｅｃ未満にした場合、急停止により巻取りボビンを破壊してしまうおそれがあるからである。そのため例えばスクリーニング速度１６００ｍ／分の場合では、Ｌを伸ばすことで前記式（Ｉ）を満足するような構成とすることが好ましい。
なお、本発明に用いられるボビン、キャプスタン、ダンサー、ロードセル、プーリーは、それぞれ特に制限するものではなく、光ファイバのスクリーニング装置に通常用いられるものを使用することができる。例えば、特開２０００−１４３０９３公報に記載された線状体のスクリーニング装置に用いられているものなどを使用することができる。
【００１６】
【発明の効果】
本発明の光ファイバのスクリーニング装置は、スクリーニング時の断線による他の正常部分の光ファイバの損傷を引き起こすことがないという優れた効果を奏する。
【図面の簡単な説明】
【図１】スクリーニング線速１４００ｍ／分のときの断線発生時の巻取り速度と巻取りボビンの静止時間の関係の一例を示すグラフである。
【図２】本発明のスクリーニング装置の好ましい一実施態様を示す説明図である。
【符号の説明】
１　光ファイバ
２　引出しボビン
３　引出しキャプスタン
４　スクリーニングダンサー
５　送出しキャプスタン
６　スクリーニング機構
７　ロードセル
８　引出しダンサー
９　引出し側固定プーリー
１０　巻取りダンサー
１１　巻取り側固定プーリー
１２　巻取りボビン
１３　断線センサー
１４　ファイバたたき防止カバー
Ｓ　間隔
【図１】
2004059243.tif 000002
【図２】
2004059243.tif 000003